【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
省電力モードに移行可能であるデバイスと、前記デバイスを管理する管理装置とがネットワークに接続されたデバイス管理システムであって、
前記デバイスに設けられ、前記デバイスの電源がオンであるか否か及び前記デバイスの動作モードが省電力モードであるか否かを含む電源状態を前記管理装置に通知する電源状態通知手段と、
前記管理装置に設けられ、前記デバイスから受信した電源状態通知に基づいて、前記デバイスの電源が異なる状態に移行した時刻及び前記デバイスの動作モードが異なるモードに移行した時刻を識別する電源状態監視手段と、
前記管理装置に設けられ、前記異なる状態又は前記異なる動作モードに移行した時刻と移行した後の電源状態とを含む電源状態履歴を第１のメモリに記録する電源状態履歴記録手段と、
前記デバイスに設けられ、前記デバイスで実行されたジョブの開始時刻と終了時刻とを含むジョブ履歴を第２のメモリに記録するジョブ履歴記録手段と、
前記管理装置に設けられ、前記デバイスに対してジョブ履歴取得要求を行うジョブ履歴収集手段と、
前記デバイスに設けられ、前記管理装置からのジョブ履歴取得要求に従って前記管理装置に前記第２のメモリに記録されたジョブ履歴情報を送信するジョブ履歴送信手段と、
前記管理装置に設けられ、前記ジョブの開始時刻にジョブ処理の状態に移行し、前記ジョブの終了時刻に前記ジョブの開始時刻よりも前の状態に移行した履歴を前記第１のメモリに追記する更新手段と、
を備えることを特徴とするデバイス管理システム。
【請求項２】
前記電源状態通知の種別毎に、前記電源状態通知の前状態及び後状態を予め記録した状態遷移条件テーブルと、
前記状態遷移条件テーブルに基づいて、受信した電源状態通知の前状態が、前回の電源状態通知の後状態に含まれる場合に、電源状態通知に連続性があると判定し、含まれない場合に連続性がないと判定する連続性判定手段と、
前記連続性判定手段により連続性がないと判定された場合に、電源状態履歴を補正する電源状態補正手段と、
を更に備えることを特徴とする請求項１に記載のデバイス管理システム。
【請求項３】
前記電源状態補正手段は、前回の電源状態通知を受信した時刻に、該受信した電源状態通知の前状態に変化したように、電源状態履歴を補正することを特徴とする請求項２に記載のデバイス管理システム。
【請求項４】
前記電源状態通知手段は、定期的に稼動中の電源状態を前記管理装置に通知すると共に、稼働中及び省電力モードを解除した際の電源状態通知において、省電力モードに移行するまでの時間を通知し、
前記電源状態補正手段は、前記連続性判定手段で連続性がないと判定され、前回の電源状態通知の後状態が通常モードであり、かつ、受信した電源状態通知の前状態が省電力モードであった場合に、前回の電源状態通知を受信した時刻に省電力モード移行までの時間を加算した時刻に、省電力モードに移行した履歴を電源状態履歴に追記することを特徴とする請求項３に記載のデバイス管理システム。
【請求項５】
前記デバイスより、前記ジョブ処理速度を取得するデバイス情報取得手段を更に備え、
前記ジョブ履歴記録手段は、前記デバイスで実行されたジョブの開始時刻、終了時刻及び前記ジョブに従って処理されたジョブ処理ページ数を含むジョブ履歴を記録し、
前記更新手段は、前記ジョブ履歴収集手段により前記デバイスから収集されたジョブ処理ページ数を更に記録すると共に、前記ジョブ処理ページ数及び前記ジョブ処理速度に基づいて算出される見込み時間と、前記ジョブ履歴収集手段により収集されたジョブの開始時刻と終了時刻とにより算出される処理時間との差が規定値以上である場合に、前記ジョブの終了時刻から前記見込み時間を差し引いた時刻をジョブの開始時刻とすることを特徴とする請求項１に記載デバイス管理システム。
【請求項６】
前記更新手段は、前記デバイスから電源状態通知が受信されない場合に、ジョブ処理中でない時間帯においては通常モードであるように記録することを特徴とする請求項１又は５に記載のデバイス管理システム。
【請求項７】
前記電源状態履歴記録手段で記録された電源状態履歴に基づいて指定された時間帯において、前記デバイスが各電源状態であった時間の累積時間を算出する電源状態累積時間算出手段を更に備えることを特徴とする請求項１、５、６のいずれか１項に記載のデバイス管理システム。
【請求項８】
前記デバイスが各電源状態であったときの消費電力を予め記録する消費電力テーブルと、
前記デバイスが各電源状態であったときの消費電力と各電源状態であった累積時間とを乗じることにより消費電力量を算出する消費電力量算出手段と、
を更に備えることを特徴とする請求項７に記載のデバイス管理システム。
【請求項９】
前記指定された時間帯の前記デバイスの電源状態毎の消費電力量を表示する消費電力量表示手段を更に備えることを特徴とする請求項８に記載のデバイス管理システム。
【請求項１０】
前記ジョブ履歴記録手段は、ジョブ種別を更に記録し、
前記更新手段は、ジョブ処理中の電源状態履歴と共に前記ジョブ種別を記録し、
前記消費電力テーブルは、前記ジョブ種別に対応するジョブ処理中の消費電力量を予め記録し、
前記消費電力量算出手段は、前記電源状態履歴記録手段で記録されたジョブ種別に対応した消費電力量を前記消費電力テーブルより取得して消費電力量を算出することを特徴とする請求項８又は９に記載のデバイス管理システム。
【請求項１１】
１ページ分の消費電力量を予め記録した消費電力補正テーブルを更に備え、
前記ジョブ履歴記録手段は、前記ジョブに従って処理されたジョブ処理ページ数を記録し、
前記更新手段は、ジョブ処理中の電源状態履歴と共に前記ジョブ処理ページ数を記録し、
前記消費電力量算出手段は、前記消費電力補正テーブルから取得した１ページ分の消費電力量に前記ジョブ処理ページ数を乗じることにより消費電力補正量を算出し、前記デバイスの消費電力に加算することを特徴とする請求項８乃至１０のいずれか１項に記載のデバイス管理システム。
【請求項１２】
前記ジョブ履歴記録手段は、前記ジョブに従って処理された印刷ページ数又はスキャンページ数を記録し、
前記更新手段は、ジョブ処理中の電源状態履歴と共に前記印刷ページ数又はスキャンページ数を記録することを特徴とする請求項１１に記載のデバイス管理システム。
【請求項１３】
前記ジョブ履歴記録手段は、前記ジョブに従って処理されたカラー印刷ページ数、白黒印刷ページ数又はスキャンページ数を記録し、
前記更新手段は、ジョブ処理中の電源状態履歴と共に前記カラー印刷ページ数、白黒印刷ページ数又はスキャンページ数を記録することを特徴とする請求項１１に記載のデバイス管理システム。
【請求項１４】
前記消費電力補正テーブルは、１ページ目の印刷を行う際に加算される消費電力補正量を予め記録し、
前記消費電力量算出手段は、印刷ジョブが実行される場合に、前記消費電力補正量を前記デバイスの消費電力に加算することを特徴とする請求項１２又は１３に記載のデバイス管理システム。
【請求項１５】
前記デバイスより通常モードから省電力モードへ移行するまでの時間であるタイムアウト時間を取得するデバイス情報取得手段を更に備え、
前記連続性判定手段は、受信した電源状態通知の前状態及び前回の電源状態通知の後状態が通常モードであり、前記タイムアウト時間から受信した電源状態通知の省電力モード移行までの時間を減じた通常モード継続時間を、受信した電源状態通知の時刻から減じた時刻よりも、前回の電源状態通知の時刻に前記タイムアウト時間を加えた時刻が前である場合に連続性なしと判定し、
前記電源状態補正手段は、前回の電源状態通知を受信した時刻に前記タイムアウト時間を加えた時刻に省電力モードに移行した履歴により電源状態履歴を補正することを特徴とする請求項４に記載のデバイス管理システム。
【請求項１６】
実行されたジョブの開始時刻と終了時刻とを含むジョブ履歴を第１のメモリに記録するジョブ履歴記録手段を備えるデバイスとネットワークを介して接続され、前記デバイスを管理する管理装置であって、
前記デバイスの電源がオンであるか否か及び前記デバイスの動作モードが省電力モードであるか否かを含む電源状態を示す電源状態通知を前記デバイスから受信し、前記デバイスの電源が異なる状態に移行した時刻及び前記デバイスの動作モードが異なるモードに移行した時刻を識別する電源状態監視手段と、
前記異なる状態又は前記異なる動作モードに移行した時刻と移行した後の電源状態とを含む電源状態履歴を第２のメモリに記録する電源状態履歴記録手段と、
前記デバイスに対してジョブ履歴取得要求を行って、前記第１のメモリに記録されたジョブ履歴を収集するジョブ履歴収集手段と、
前記ジョブの開始時刻にジョブ処理の状態に移行し、前記ジョブの終了時刻に前記ジョブの開始時刻よりも前の状態に移行した履歴を前記第２のメモリに追記する更新手段と、
を備えることを特徴とする管理装置。
【請求項１７】
省電力モードに移行可能であるデバイスとネットワークを介して接続され、前記デバイスを管理する管理装置であって、
前記デバイスの電源がオンであるか否か及び前記デバイスの動作モードが省電力モードであるか否かを含む電源状態を前記デバイスから取得し、前記デバイスの電源が異なる状態に移行した時刻又は前記デバイスの動作モードが異なるモードに移行した時刻と移行した後の電源状態とを含む電源状態履歴をメモリに記録する記録手段と、
前記デバイスで実行されたジョブの開始時刻と終了時刻とを含むジョブ履歴を前記デバイスから取得し、前記ジョブの開始時刻にジョブ処理の状態に移行し、前記ジョブの終了時刻に前記ジョブの開始時刻よりも前の状態に移行した履歴を前記メモリに追記する更新手段と、
を備えることを特徴とする管理装置。
【請求項１８】
省電力モードに移行可能であるデバイスと、前記デバイスを管理する管理装置とがネットワークに接続されたデバイス管理システムのデバイス管理方法であって、
前記デバイスが備える電源状態監視手段が、前記デバイスの電源がオンであるか否か及び前記デバイスの動作モードが省電力モードであるか否かを含む電源状態を前記管理装置に通知する電源状態通知工程と、
前記管理装置が備える電源状態監視手段が、前記デバイスから受信した電源状態通知に基づいて、前記デバイスの電源が異なる状態に移行した時刻及び前記デバイスの動作モードが異なるモードに移行した時刻を識別する電源状態監視工程と、
前記管理装置が備える電源状態履歴記録手段が、前記異なる状態又は前記異なる動作モードに移行した時刻と移行した後の電源状態とを含む電源状態履歴を第１のメモリに記録する電源状態履歴記録工程と、
前記デバイスが備えるジョブ履歴記録手段が、前記デバイスで実行されたジョブの開始時刻と終了時刻とを含むジョブ履歴を第２のメモリに記録するジョブ履歴記録工程と、
前記管理装置が備えるジョブ履歴収集手段が、前記デバイスに対してジョブ履歴取得要求を行うジョブ履歴収集工程と、
前記デバイスが備えるジョブ履歴送信手段が、前記管理装置からのジョブ履歴取得要求に従って前記管理装置に前記第２のメモリに記録されたジョブ履歴情報を送信するジョブ履歴送信工程と、
前記管理装置が備える更新手段が、前記ジョブの開始時刻にジョブ処理の状態に移行し、前記ジョブの終了時刻に前記ジョブの開始時刻よりも前の状態に移行した履歴を前記第１のメモリに追記する更新工程と、
を備えることを特徴とするデバイス管理方法。
【請求項１９】
コンピュータを、
省電力モードに移行可能であるデバイスと、前記デバイスを管理する管理装置とがネットワークに接続されたデバイス管理システムにおける、
前記デバイスに設けられ、前記デバイスの電源がオンであるか否か及び前記デバイスの動作モードが省電力モードであるか否かを含む電源状態を前記管理装置に通知する電源状態通知手段と、
前記管理装置に設けられ、前記デバイスから受信した電源状態通知に基づいて、前記デバイスの電源が異なる状態に移行した時刻及び前記デバイスの動作モードが異なるモードに移行した時刻を識別する電源状態監視手段と、
前記管理装置に設けられ、前記異なる状態又は前記異なる動作モードに移行した時刻と移行した後の電源状態とを含む電源状態履歴を第１のメモリに記録する電源状態履歴記録手段と、
前記デバイスに設けられ、前記デバイスで実行されたジョブの開始時刻と終了時刻とを含むジョブ履歴を第２のメモリに記録するジョブ履歴記録手段と、
前記管理装置に設けられ、前記デバイスに対してジョブ履歴取得要求を行うジョブ履歴収集手段と、
前記デバイスに設けられ、前記管理装置からのジョブ履歴取得要求に従って前記管理装置に前記第２のメモリに記録されたジョブ履歴情報を送信するジョブ履歴送信手段と、
前記管理装置に設けられ、前記ジョブの開始時刻にジョブ処理の状態に移行し、前記ジョブの終了時刻に前記ジョブの開始時刻よりも前の状態に移行した履歴を前記第１のメモリに追記する更新手段として機能させるためのプログラム。